(57)【要約】【課題】実際のプレーに応じた筋肉を効率的に鍛えることのできる握力強化練習用グローブを提供することを目的とする。【解決手段】スポーツ時握力を強化するための握力強化練習用グローブ１０である。指の曲げ握り動作に対する曲げ戻し方向への反発力発生体（ゴム紐１１）が、指の背側であって、指の関節の少なくとも１つにおける該関節を跨ぐ位置に配置されている。グローブ１０を手に装着しゴルフクラブを握ると、上記ゴム紐１１が伸ばされ、指が鍛えられる。ゴルフスイングの動きのなかで指が鍛えられるので、ゴルフクラブの握り動作に応じた必要な筋肉を効率的に鍛えることができる。【選択図】図１
0003153597.tif 000002
【実用新案登録請求の範囲】
【請求項１】
スポーツ時握力を強化するためのグローブであり、
指の曲げ握り動作に対する曲げ戻し方向への反発力発生体が、前記グローブにおける指の背側であって、選択された指の更に選択された関節をその指の長手方向に跨ぐ位置と対応する位置に配置されたものであることを特徴とする握力強化練習用グローブ。
【請求項２】
前記反発力発生体が、小指、薬指、中指におけるそれぞれ遠位指節間関節を跨ぐ位置、及び近位指節間関節を跨ぐ位置に配置された請求項１に記載の握力強化練習用グローブ。
【請求項３】
前記反発力発生体が、小指、薬指、中指におけるそれぞれ中手指節関節を跨ぐ位置に配置された請求項１または２に記載の握力強化練習用グローブ。
【請求項４】
前記反発力発生体が、小指、薬指、中指、人差し指におけるそれぞれ遠位指節間関節を跨ぐ位置、及び近位指節間関節を跨ぐ位置に配置された請求項１に記載の握力強化練習用グローブ。
【請求項５】
前記反発力発生体が、小指、薬指、中指、人差し指におけるそれぞれ中手指節関節を跨ぐ位置に配置された請求項１または４に記載の握力強化練習用グローブ。
【請求項６】
前記反発力発生体が、遠位指節間関節と近位指節間関節と中手指節関節を連続して跨ぐように配置された請求項１〜５のいずれか１項に記載の握力強化練習用グローブ。
【請求項７】
前記反発力発生体が、親指における指節間関節と中手指節関節を連続して跨ぐように配置された請求項１〜６のいずれか１項に記載の握力強化練習用グローブ。
【請求項８】
前記反発力発生体が、グローブ本体の指挿入孔の内面における指の背側に縫着された請求項１〜７のいずれか１項に記載の握力強化練習用グローブ。
【請求項９】
前記反発力発生体が、グローブ本体に対して着脱自在に添設された請求項１〜８のいずれか１項に記載の握力強化練習用グローブ。
【請求項１０】
前記反発力発生体が、伸縮性材料により構成され、前記関節を跨ぐ方向を伸縮方向として伸張状態で取り付けられた請求項１〜９のいずれか１項に記載の握力強化練習用グローブ。
【請求項１１】
手指を挿入していないときの外観が、指部が手の甲側に反った状態となる請求項１０に記載の握力強化練習用グローブ。
【請求項１２】
前記伸縮性材料がシート状であり、グローブを構成する布帛及び／またはシートの内側に積層された請求項１０または１１に記載の握力強化練習用グローブ。
【請求項１３】
前記伸縮性材料がシート状であり、それ自身をグローブの背面側構成材料とした請求項１０または１１に記載の握力強化練習用グローブ。
【請求項１４】
前記グローブの手首部分に締付けテープが設けられた請求項１〜１３のいずれか１項に記載の握力強化練習用グローブ。
【請求項１５】
前記反発力発生体が、弾性材料により構成されたものである請求項１〜９のいずれか１項に記載の握力強化練習用グローブ。
【考案の詳細な説明】
【技術分野】
【０００１】
本考案は、スポーツにおける手指の筋力向上のためのトレーニング用具、詳細にはスポーツ時に求められる手指の握力を、練習時及び平常時を問わずに強化訓練することのできるグローブに関するものである。
【背景技術】
【０００２】
ゴルフ、テニス、野球、剣道などの、棒状用具（ゴルフクラブ、テニスラケット、野球バット、竹刀等）を用いて行うスポーツでは、握力が弱いと上記棒状用具を振るときのコントロールが不十分となって、思うようなプレーができない。そこでしばしば握力強化のためのトレーニングが行われる。
【０００３】
握力強化トレーニング用の器具としては、ハンドグリップやゴム製ボールが知られている。ハンドグリップは２本の棒材の一方端同士をコイルバネで連結したＶ字状用具であり、開いた上記２本の棒材を握りしめて近接させ、この反復練習により握力の強化を図る。ゴム製ボールは、これを握りしめて変形させ、握力の強化を図る。
【０００４】
他方、訓練という視点ではなく、プレー中に用いるグローブに工夫を加えることによって、使用者自身の弱い握力を補助して把持力を向上させるものが提案されている。
【０００５】
例えば、特許文献１には、伸縮バンドを取り付けたゴルフ用グローブが提案され、ゴルフクラブを握った手の甲側から上記伸縮バンドを巻き付けて固定することによって、クラブを振るときの手指の緩みを防ぐように工夫されている。特許文献２には、グローブの裏側（手指の挿入空間）にワイヤー等を突出させて設け、これにより筋肉を刺激することで、円滑なスイングができるようにしている。特許文献３には、手の甲側に導電性繊維の縫付ラインを備えたグローブが示され、これを装着して拳を握ることで、上記縫付ラインが手の甲側を拘束して手のツボを圧迫し、これにより腱を緩めて強く握りしめることができるようにしている。
【０００６】
これら特許文献１〜３のゴルフグローブは、あくまでもプレー中の補助をテーマとするものであって、握力強化を図るものではない。この様な補助具に頼っている限り、却って握力は低下する一方である。
【先行技術文献】
【特許文献】
【０００７】
【特許文献１】特開平７−２３６７２５号公報
【特許文献２】特開２００７−１８１６８０号公報
【特許文献３】特開２００９−１０２７７９号公報
【考案の概要】
【考案が解決しようとする課題】
【０００８】
ハンドグリップやゴム製ボールを用いる訓練は、スポーツ実施中の訓練を全く意図しておらず、スポーツから離れた平常時にしか使えない。確かに握力の強化には繋がるが、それ自身に楽しみを伴うことがないので、余程の強い継続意思がなければ、実効を得ないうちに中断・中止をしてしまうことが多い。また、棒状用具を握って行うスポーツと言う視点から見直すと、上記ハンドグリップ等では実際にプレーするときの筋肉使いとは必ずしも一致せず、効率的でないのみならず、合目的な訓練具とは言えない。
【０００９】
そこで本考案は上記の事情に着目してなされたものであって、その目的は、実際のプレーに応じた筋肉を効率的に、しかも練習プレーを楽しみながら継続的に鍛えることのできる握力強化練習用グローブを提供することにある。
【課題を解決するための手段】
【００１０】
本考案に係る握力強化練習用グローブは、スポーツ時握力を強化するためのグローブであり、指の曲げ握り動作に対する曲げ戻し方向への反発力発生体が、前記グローブにおける指の背側であって、選択された指の更に選択された関節をその指の長手方向に跨ぐ位置と対応する位置に配置されたものであることを特徴とする。
【００１１】
図５（手指の関節を説明するための図）に示すとおり、手指の関節には、小指，薬指，中指及び人差し指における中節骨と末節骨とを繋ぐ遠位指節間関節（ＤＩＰ：第１関節とも称される）、これら４指における基節骨と中節骨とを繋ぐ近位指節間関節（ＰＩＰ：第２関節とも称される）、親指の基節骨と末節骨を繋ぐ指節間関節（ＩＰ）、中手骨と指骨の基節骨を繋ぐ中手指節関節（ＭＰ）がある。
【００１２】
本考案は、これらの指の関節のうちの少なくとも１つに対応して、指の背側に当該関節を指長手方向に跨ぐように反発力発生体を配置したものである。
【００１３】
本考案のグローブを手に装着し、握る動作をしたとき、反発力発生体を取り付けた箇所において曲げ戻し方向の力（回復応力）が指に加わるので、これに抗して握り続けることが要求され、それによって指が鍛えられることになる。具体的に述べると、前記反発力発生体として例えばゴム紐を用いた場合、指の関節を曲げたときに、指の背側に配置されたゴム紐（反発力発生体）が伸長され、このゴム紐の収縮力が指に加わることになり、指の筋肉が鍛えられる。
【００１４】
しかもグローブであることから、これを手に装着した状態でゴルフクラブ等の棒状用具を握り、当該スポーツを行うことができるので、練習プレーのなかで握力を鍛えることができる。本人の意思次第では競技中において使用することも可能である（なお、競技によっては公式競技中にルール上使用できない場合がある）。
【００１５】
従来のハンドグリップ等では、プレーで必要とされる筋肉使いではない状態で鍛えることになるが、本考案のグローブでは、実際のプレーにおける棒状用具を握る動作に応じた筋肉使いで筋肉を鍛えることができる。よって当該スポーツの握り動作に必要な筋肉を効率的に鍛えることができる。
【００１６】
反発力発生体を配置する位置としては、指の全ての関節に対応してこれを指長手方向に跨ぐように配置しても良いが、目的とするスポーツに必要とされる筋肉を鍛えるために、任意の関節に対応して配置しても良い。これにより一層効率的に指の筋肉を鍛えることができる。
【００１７】
例えばテニスのフォアハンドストロークでは、主として小指、薬指、中指によりラケットを握ることが推奨されており、この様な小指、薬指、中指の握力強化を望むスポーツを対象とする場合には、前記反発力発生体が、小指、薬指、中指におけるそれぞれ遠位指節間関節（第１関節）を跨ぐ位置、及び近位指節間関節（第２関節）を跨ぐ位置に配置されたものであることが好ましい。指の根元部分に比べて指の先の方の筋肉は鍛え難く、また筋力が衰えやすいが、上記のように第１，２関節を跨いで反発力発生体を配置することで、指の部分の筋力強化を図ることができる。
【００１８】
また前記反発力発生体が、小指、薬指、中指におけるそれぞれ中手指節関節を跨ぐ位置に配置されたものとしても良い。これにより指の根元部分の筋肉を鍛えることができる。
【００１９】
ゴルフでは、主として小指、薬指、中指、人差し指によりゴルフクラブを握るが、この様に４指により棒状用具を握るスポーツを対象とする場合には、前記反発力発生体が、小指、薬指、中指、人差し指におけるそれぞれ遠位指節間関節（第１関節）を跨ぐ位置、及び近位指節間関節（第２関節）を跨ぐ位置に配置されたものであることが好ましい。また前記反発力発生体が、小指、薬指、中指、人差し指におけるそれぞれ中手指節関節を跨ぐ位置に配置されたものとしても良い。
【００２０】
また対象とするスポーツの種類に応じて、親指における指節間関節や中手指節関節を跨ぐ位置に前記反発力発生体を配置するようにしても良い。例えば野球のバットスイングでは５指とも鍛えることが推奨されている。
【００２１】
ところで前記反発力発生体の配置について、関節毎にこれを跨ぐ位置に反発力発生体を分断して設けても良いが、連なった関節に対して連続して配置することがより好ましい。即ち、前記反発力発生体が、遠位指節間関節（第１関節）と近位指節間関節（第２関節）と中手指節関節を連続して跨ぐように配置されることが好ましい。
【００２２】
この場合は、指先から指の根元まで全体的に反発力発生体による力が与えられることになるので、より良好に鍛えることができる。
【００２３】
また親指においても、その指節間関節と中手指節関節を連続して跨ぐように前記反発力発生体が配置されることが好ましい。
【００２４】
反発力発生体の曲げ戻し力の程度に関しては、いずれの箇所に配置する反発力発生体も同一の強さとしても良いが、関節によって強さを異ならせても良い。関節によって異なる要求に対応した強度を考慮し、所望の曲げ戻し力の反発力発生体を配置すると良く、これによりきめ細かく希望通りの鍛え方をすることができる。
【００２５】
次に反発力発生体の材料について述べる。
【００２６】
反発力発生体の材料としては、伸縮性材料（伸縮性フィルム、ゴム紐等）や弾性材料（板バネ等）が挙げられる。
【００２７】
前記反発力発生体が伸縮性材料により構成されたものである場合は、グローブを手に装着して指の関節を曲げたとき、指の背側に配置された伸縮性材料製反発力発生体が伸長され、この収縮力（回復応力）が指に加わる。これによって、指の筋肉が鍛えられる。
【００２８】
前記反発力発生体が弾性材料により構成されたものである場合は、グローブを手に装着して指の関節を曲げたとき、弾性材料製反発力発生体も曲げられ、この復元力（回復応力）が指に加わり、これによって指の筋肉が鍛えられる。
【００２９】
伸縮性材料により構成された反発力発生体の場合においては、該反発力発生体が前記関節を跨ぐ方向を伸縮方向として伸張状態で取り付けられることが好ましい。伸張状態で取り付けることにより、グローブを手に装着したとき、伸縮性材料製の反発力発生体が少し伸ばされた状態となり、指が反り返る方向に力を受けるので、これに抗して指を曲げたときにはこの伸縮性材料製反発力発生体が一層伸ばされることになる。こうして収縮力がより強く作用するので、指を一層鍛えることができる。
【００３０】
更にこの場合において、手指を嵌めていないときのグローブの外観が、指部が手の甲側に反った状態となることが好ましい。このグローブを装着すると、指を伸ばした状態であっても甲側に引っ張られる応力を指が受け続けることになるから、スイングと次回スイングの間、単なる歩行中、更には平常時といった握る動作をしないときでも、指の筋肉を少し鍛えることが可能となる。
【００３１】
なお本考案において、伸縮性材料製反発力発生体を、伸長しない自然状態で配置することを排除するものではなく、伸長しない状態で配置する場合も本考案の技術的範囲に包含される。
【００３２】
前記伸縮性材料がシート状（フィルム状を含む）である場合には、グローブを構成する布帛及び／またはシートの内側に積層すると良い。この積層の態様としては、グローブを構成する布帛等の裏側（肌側）にシート状伸縮性材料を積層する態様や、グローブを構成する布帛等を２枚以上とし、これらの間にシート状伸縮性材料を挟む態様が挙げられる。
【００３３】
上記グローブを構成するシートとしては、合成皮革等の各種樹脂シートが挙げられる。また上記布帛とは織物，編物，並びに不織布等を指す。
【００３４】
また前記伸縮性材料がシート状である場合に、それ自身をグローブの背面側構成材料としても良い。つまり、グローブを構成する布帛等のうち、反発力発生体を配置する箇所を、シート状伸縮性材料の単層で構成しても良い。
【００３５】
伸縮性材料製反発力発生体における曲げ戻し力（伸縮性材料の収縮力）の強さの程度については、厚み、積層枚数、素材自体の伸縮特性等により調整することができる。
【００３６】
更に伸縮性材料製の反発力発生体を用いる場合において、前記グローブの手首部分に締付けテープを設けることが好ましい。伸縮性材料製の反発力発生体を伸張状態で取り付けると、グローブが全体として指先側に引き寄せられた状態になり、関節位置と反発力発生体の位置が微妙にずれることがある。この場合、上記締付けテープにより手首に固定することで、グローブを良好にフィットさせることができると共に、上記の微妙な位置ズレを防止して伸縮性材料の収縮力を、指の最適位置に作用させることができる。
【００３７】
反発力発生体をグローブ本体に取り付ける態様としては、上記のように布帛等に挟んだり、配置箇所の材料自身として反発力発生体を用いる場合の他、反発力発生体を縫着により取り付けても良い。即ち前記反発力発生体をグローブ本体の指挿入孔の内面における指の背側に縫着するようにしても良い。縫着の態様としては、反発力発生体を直接縫着する態様や、反発力発生体を収納した袋を縫着する態様が挙げられる。
【００３８】
また本考案においては、前記反発力発生体が、グローブ本体に対して着脱自在に添設されることができる。着脱自在であれば、使用者が反発力発生体を自由に取り付けたり取り外したりでき、訓練したい指を自分で選んで使用することができる。
【考案の効果】
【００３９】
本考案に係る握力強化練習用グローブによれば、実際のプレーに即した状態で指の筋肉を鍛えることができるので、対象とするスポーツの握り動作に適応して必要な筋肉を効率的に鍛えることができる。この様に練習において筋力を向上させることで、握力の向上が期待できる。また任意の関節に対応して反発力発生体を配置することで、目的とするスポーツに必要とされる筋肉のみを特に鍛えることもできる。
【図面の簡単な説明】
【００４０】
【図１】（ａ）は本考案の実施形態１に係る握力強化練習用グローブを甲側から示した外観図であり、（ｂ）はこの握力強化練習用グローブにおける伸縮性材料製反発力発生体の配置を甲側から示した説明図である。
【図２】図１（ａ）および（ｂ）に示すＡ−Ａ矢視断面図である。
【図３】本考案の実施形態２に係る握力強化練習用グローブを甲側から表した外観図である。
【図４】実施形態２の握力強化練習用グローブの側面図である。
【図５】手指の関節を説明するための、左手を甲側から見た説明図である。
【図６】本考案の実施形態３に係る握力強化練習用グローブを表す要部断面図である。
【図７】本考案の実施形態４に係る握力強化練習用グローブを表す要部断面図である。
【図８】(ａ)〜(ｄ)は本考案の他の実施形態に係る握力強化練習用グローブを甲側から表すとともに、伸縮性材料製反発力発生体（ゴム紐）の配置を示した説明図である。
【考案を実施するための形態】
【００４１】
＜実施形態１＞
図１は本考案の実施形態１に係る握力強化練習用グローブ１０を表しており、（ａ）は該グローブ１０を甲側から見た外観図であり、（ｂ）はこのグローブ１０における伸縮性材料製反発力発生体（ゴム紐１１）の配置を甲側から示した説明図である。図２は、図１の（ａ），（ｂ）に示すＡ−Ａ矢視断面図である。
【００４２】
握力強化練習用グローブ１０におけるグローブ本体１２は合成皮革製であり、グローブ形を呈する。グローブ１０の手首部分には締付けテープ１３が設けられ、一対の面ファスナー（雄型係合部材１３ｂと雌型係合部材１３ｄ）による係合で、手首に固定できるようになっている。詳しくは、締付けテープ１３における甲側に位置する部分１３ａの外側面（反肌側面）に雄型係合部材１３ｂが設けられ、締付けテープ１３の舌部１３ｃの肌側面に雌型係合部材１３ｄが設けられ、これらが着脱自在となっている。
【００４３】
なお、図１（ａ）では締付けテープ１３で固定した状態を実線で表し、締付けテープ１３を外した状態を仮想線（二点鎖線）で表しており、図１（ｂ）では締付けテープ１３を外した状態を表している。
【００４４】
グローブ本体１２の指挿入孔において、小指、薬指、中指、人差し指における背側（甲側）には、指先近傍から指の根元を少し超えた箇所にわたって、ゴム紐（伸縮性材料製反発力発生体）１１が縫着されている（図１（ｂ）、図２参照）。指先からＤＩＰ関節−ＰＩＰ関節−ＭＰ関節を跨いだ位置（図５参照）に、連続したゴム紐１１が、その伸縮方向（矢印Ｂ）を指長手方向として縫着されている。このゴム紐１１は伸張状態で縫着されており、ゴム紐１１の収縮によりグローブ本体１２の指部分に皺１４が生じている（図１（ａ）参照）。なお上記ゴム紐１１は、１２コールゴムや１６コールゴムである。
【００４５】
次に、本実施形態１のグローブ１０の使用方法について、ゴルフの練習を例に挙げて説明する。
【００４６】
まずグローブ１０を手にはめて締付けテープ１３で手首に固定する。なおこの際ゴム紐１１が少し伸ばされるようになる（図１(ｂ)の矢印Ｂ参照）。次いでゴルフクラブを握って打撃練習を行う。このとき指の背側に位置するゴム紐１１は一層伸ばされ、その収縮応力による負荷が小指、薬指、中指、人差し指に加わる。この負荷は、指の開閉時だけでなく、ゴルフクラブを握っている最中も継続的に指に加わり、指の筋肉が鍛えられ、握力強化に繋がる。
【００４７】
しかも上記グローブ１０を用いれば、実際のゴルフスイングの動きのなかで指を鍛えることになるので、ゴルフボールを打つときの指の力具合や持ち方等、ゴルフクラブの握り動作に応じた筋肉使いとなって、必要な筋肉を効率的に鍛えることができる。またその握力強化練習の回数に関し、例えばゴルフの打撃練習を１００球行えば、指の開閉動作及び握状態の維持を１００回行うことになり、心理的に無理なく回数をこなすことが可能である。
【００４８】
こうして握力を強化することで、ゴルフクラブを上手くコントロールでき、良好なプレーに繋がることが期待できる。
【００４９】
＜実施形態２＞
図３は、本考案の実施形態２に係る握力強化練習用グローブ２０を甲側から表す図である。図４はこの実施形態２の握力強化練習用グローブ２０を側方から見た図である。なお図１と同一の符号を付した箇所は、図１の例と同じ構成部分である。
【００５０】
上記実施形態１のグローブ１０では小指、薬指、中指、人差し指の４指にゴム紐１１を設けたが、本実施形態２のグローブ２０では、小指、薬指、中指の３指にゴム紐２１が設けられている。このため、手を嵌めていない状態では、図３に示すように人差し指に比べ小指、薬指、中指の長さが縮んでいる。
【００５１】
上記ゴム紐２１は、グローブ本体１２の背側（甲側）の肌側面において、上記３指それぞれにおける指先からＤＩＰ関節−ＰＩＰ関節−ＭＰ関節を経て更に手の甲の位置まで連続して縫着されている。他の構成は上記実施形態１と同様である。
【００５２】
本実施形態２のグローブ２０においても、該グローブ２０を手に装着して棒状用具（例えばテニスラケット）を握り、対象となるスポーツ（例えばテニス）を行うことで、実際のプレーに即した状態で指の筋肉が鍛えられ、握力向上を図ることができる。なおこのグローブ２０では、小指、薬指、中指の３指の筋肉が鍛えられることになる。
【００５３】
またゴム紐２１により上記３指が手の甲側に反った状態となるため（図４参照）、このグローブ２０を装着しているだけで指に対し甲側へ引っ張る負荷が加わり、鍛えることができる。
【００５４】
＜実施形態３＞
図６は、本考案の実施形態３に係る握力強化練習用グローブ３０を表す要部断面図であり、図１に示すＡ−Ａ線矢視断面に相当する箇所の断面を示している。
【００５５】
グローブ３０におけるグローブ本体は、表側の表面シート３２と裏側（肌側）の裏面シート３３をラミネートしたものである。そして小指、薬指、中指、人差し指の指先からＤＩＰ関節−ＰＩＰ関節−ＭＰ関節を跨いだ位置において、表面シート３２と裏面シート３３の間に伸縮性樹脂シート（反発力発生体）３１が挟まれた積層構造となっている。なお伸縮性樹脂シート３１は短冊状であり、その材料としてはポリウレタン樹脂シート等が挙げられる。なお上記以外の構成は実施形態１と同様である。
【００５６】
この実施形態３では、伸縮性樹脂シート（反発力発生体）３１がグローブ本体のシート３２，３３に覆われて隠れる。従ってデザイン性を向上させることができる。
【００５７】
実施形態３においても上記と同様に、グローブ３０を手に装着して、対象となるスポーツを行うことで、実際のプレーに即した状態で指の筋肉が鍛えられ、握力向上を図ることができる。
【００５８】
＜実施形態４＞
図７は、本考案の実施形態４に係る握力強化練習用グローブ４０を表す要部断面図であり、図１に示すＡ−Ａ線矢視断面に相当する箇所の断面である。
【００５９】
実施形態４のグローブ４０では、グローブ本体４２を構成するシートのうち、指先からＤＩＰ関節−ＰＩＰ関節−ＭＰ関節を跨いだ位置を、伸縮性樹脂シート（反発力発生体）４１に取り替えたものである。伸縮性樹脂シート４１としてはポリウレタン樹脂シート等が挙げられる。
【００６０】
この実施形態４においても上記と同様に、グローブ４０を手に装着してスポーツを行うことで、実際のプレーに即した状態で指の筋肉が鍛えられ、握力向上を図ることができる。
【００６１】
＜その他の実施形態＞
図８は、本考案のさらに他の実施形態に係る握力強化練習用グローブを甲側から表す図である。
【００６２】
図８（ａ）のグローブ５０では、小指、薬指、中指におけるＤＩＰ関節、ＰＩＰ関節、ＭＰ関節（図５参照）をそれぞれ別々に跨ぐようにして、ゴム紐（反発力発生体）１１が配置されている。図８（ｂ）のグローブ６０では、小指、薬指、中指、人差し指におけるＤＩＰ関節、ＰＩＰ関節、ＭＰ関節をそれぞれ別々に跨ぐようにして、ゴム紐（反発力発生体）１１が配置されている。図８（ｃ）のグローブ７０では、上記実施形態１の様に４指にゴム紐１１を配置することに加え、親指の指節間関節（ＩＰ）と中手指節関節（ＭＰ）を連続して跨ぐようにゴム紐１１が配置されている。図８（ｄ）のグローブ８０では、ＤＩＰ関節、ＰＩＰ関節、ＩＰ関節、ＭＰ関節毎に、別々に関節を跨ぐようにゴム紐１１が配置されている。なおいずれのグローブ５０，６０，７０，８０も、指の背側（甲側）にゴム紐１１が縫着されている。
【００６３】
ゴム紐１１の配置としては上記例の他、例えばＤＩＰ関節とＰＩＰ関節を連続して跨ぐようにゴム紐１１を配置し、ＭＰ関節を跨ぐゴム紐１１は独立させて配置させる等としても良い。
【００６４】
以上のように様々なバリエーションが可能であり、筋力強化を望む箇所に応じてゴム紐（反発力発生体）１１を配置することで、所望の筋力向上を図ることができる。
【００６５】
更に部分によってゴム紐１１の伸縮力の異なるものを用いても良く、これにより鍛え方をきめ細かく調整できる。
【００６６】
なお、上記実施形態１，２ではグローブ本体１２の裏側（肌側）にゴム紐１１，２１を縫着する態様を示したが、グローブ本体１２の表側（外側）に縫着するようにしても良い。
【００６７】
上記実施形態ではゴム紐や伸縮性樹脂シートのように伸縮性材料製反発力発生体の場合を示したが、これに換えて、板バネ等の弾性材料製反発力発生体を用いても良い。
【００６８】
また、ゴム紐（反発力発生体）１１とグローブ本体１２に対応して一対の面ファスナーを取り付け、グローブ本体１２に対してゴム紐１１が着脱自在となるように構成しても良い。或いはグローブ本体の裏側に袋を設け、この袋内に板バネ（反発力発生体）を出し入れ自在としても良い。この様に反発力発生体を取付・取外自在とすることで、使用者がその時々に応じて着脱してグローブを使用することができる。
【００６９】
なお上記実施形態では左手用グローブを示したが、右手用グローブであっても、勿論良い。
【００７０】
以上、例を挙げて本考案をより具体的に説明したが、本考案はもとより上記例によって制限を受けるものではなく、前記の趣旨に適合し得る範囲で適当に変更を加えて実施することも勿論可能であり、それらはいずれも本考案の技術的範囲に包含される。
【符号の説明】
【００７１】
１０，２０，３０，４０，５０，６０，７０，８０  握力強化練習用グローブ
１１，２１  ゴム紐
１２  グローブ本体
１３  締付けテープ
３１，４１  伸縮性樹脂シート
３２  表面シート
３３  裏面シート
【図１】
0003153597.tif 000003
【図２】
0003153597.tif 000004
【図３】
0003153597.tif 000005
【図４】
0003153597.tif 000006
【図５】
0003153597.tif 000007
【図６】
0003153597.tif 000008
【図７】
0003153597.tif 000009
【図８】
0003153597.tif 000010